(57)【要約】【課題】乾燥フィルタのリントを少量の水で効果的に除去する。【解決手段】循環風路２０を通過するリントを捕集する乾燥フィルタ２４と、乾燥フィルタに捕集されたリントを洗い流すための水を吐出するノズル２５と、ノズルへ水を供給する給水手段２８と、ノズルから吐出された水を排出する排水路２９と、乾燥運転を制御する制御手段３０とを備え、制御手段３０は、給水手段２８を制御しノズル２５から水を間欠的に吐出させるようにしたものである。これにより、塊となったリントに水を繰り返し衝突させることができ、また、フィルタ面にリントが絡み付いた場合でも、絡み付いたリントに水を繰り返し衝突させて付着形態を変化させることができ、乾燥フィルタに付着したリントを確実に除去することができる。【選択図】図１
2013128527.tif 000002
【特許請求の範囲】
【請求項１】
衣類等の乾燥対象を収容する回転自在なドラムと、前記ドラムから排出された乾燥用空気を再び前記ドラムへ循環させる循環風路と、前記循環風路に乾燥用空気を送風する送風手段と、前記循環風路を通過するリントを捕集する乾燥フィルタと、前記乾燥フィルタに捕集されたリントを洗い流すための水を吐出するノズルと、前記ノズルへ水を供給する給水手段と、前記ノズルから吐出された水を排出する排水路と、乾燥運転を制御する制御手段とを備え、前記制御手段は、前記給水手段を制御し前記ノズルから水を間欠的に吐出させるようにした衣類乾燥機。
【請求項２】
制御手段は、乾燥フィルタからリントを洗い流すときに、ノズルから水を間欠的に吐出させる先の期間の吐出間隔を、後の期間の吐出間隔より短く設定した請求項１記載の衣類乾燥機。
【請求項３】
制御手段は、乾燥フィルタからリントを洗い流すときに、ノズルから水を間欠的に吐出させる後の期間の１回当たりの吐出時間を、先の期間の１回当たりの吐出時間より長く設定した請求項１または２記載の衣類乾燥機。
【請求項４】
水を吐出する複数のノズルと、前記ノズルへの給水を切り替える切替手段を設け、制御手段は、前記切替手段を制御し前記複数のノズルからタイミングをずらせて水を間欠的に吐出させるようにした請求項１〜３のいずれか１項に記載の衣類乾燥機。
【発明の詳細な説明】
【技術分野】
【０００１】
本発明は、衣類等の繊維製品の乾燥をおこなう衣類乾燥機に関するものである。
【背景技術】
【０００２】
従来、この種の衣類乾燥機は、乾燥運転中に衣類等の乾燥対象から糸屑等のリントが発生し、乾燥用空気に混じって風路を循環する。風路に設けられている除湿器等にリントが付着堆積すると、除湿性能が低下することから、風路に乾燥用空気からリントを取り除くフィルタを設けるのが一般的である。
【０００３】
乾燥運転によりフィルタにリントが捕集されると、フィルタが目詰まり状態になり、乾燥用空気がフィルタを通過する際の通風抵抗が大きくなって、乾燥効率が低下することから、フィルタで捕集されたリントを除去することが考えられている（例えば、特許文献１参照）。
【０００４】
図９は、特許文献１に記載された洗濯乾燥機の構成図である。図９において、乾燥風循環通路５１の吸込口５２側にフィルタ５３を設け、給水栓５４の開閉によって水槽５５内へ洗濯水を供給する給水経路５６を接続している。乾燥運転中に発生したリントは、乾燥風循環通路５１を循環する乾燥風によってフィルタ５３に付着する。
【０００５】
フィルタ５３に付着したリントは、洗濯時に給水経路５６から給水される洗濯水によって洗い流されるようにしたものであり、洗濯水の給水のたびにフィルタ５３に付着したリントを給水時の水流により流して、フィルタ５３の掃除を不要にしたものである。
【０００６】
また、ヒートポンプ装置の蒸発器の上流側にリントフィルタを設け、リントフィルタのフィルタ面に沿って注水することにより、リントフィルタに捕集されたリントを洗い流すことが考えられている（例えば、特許文献２参照）。
【先行技術文献】
【特許文献】
【０００７】
【特許文献１】特開平８−２４３２９２号公報
【特許文献２】特開２００６−１８７４４９号公報
【発明の概要】
【発明が解決しようとする課題】
【０００８】
しかしながら、前記従来の構成では、乾燥フィルタ面に水を吐出すると、リントが濡れて集まり塊となる場合があり、この塊を避けるように水の流れができると、水を連続的に流し続けてもリントを除去することができないという問題があった。そこで、吐出する水量を多くすることが考えられるが、水の使用量が増加することに加えて、排水経路を流れる水の許容量の制約があり、多量の水を吐出させることが難しいという問題があった。
【０００９】
本発明は、前記従来の課題を解決するもので、乾燥フィルタのリントを少量の水で効果的に除去することができるようにした衣類乾燥機を提供することを目的とする。
【課題を解決するための手段】
【００１０】
前記従来の課題を解決するために、本発明の衣類乾燥機は、循環風路を通過するリントを捕集する乾燥フィルタと、前記乾燥フィルタに捕集されたリントを洗い流すための水を吐出するノズルと、前記ノズルへ水を供給する給水手段と、前記ノズルから吐出された水を排出する排水路と、乾燥運転を制御する制御手段とを備え、前記制御手段は、前記給水手段を制御し前記ノズルから水を間欠的に吐出させるようにしたものである。
【００１１】
これによって、吐出した水によって剥がれたリントが集まって塊となった場合でも、水を間欠的に吐出することで、塊の状態となったリントに水を繰り返し衝突させることができ、乾燥フィルタに付着したリントを確実に除去することができる。
【発明の効果】
【００１２】
本発明の衣類乾燥機は、乾燥フィルタに付着したリントを少量の水で効果的に除去することができる。
【図面の簡単な説明】
【００１３】
【図１】本発明の実施の形態１における洗濯機能を備えた衣類乾燥機の要部断面図
【図２】同衣類乾燥機の乾燥フィルタの斜視図
【図３】同衣類乾燥機の動作を示すタイムチャート
【図４】（ａ）（ｂ）同衣類乾燥機のリント除去中の水の流れを示す概略図
【図５】（ａ）（ｂ）同衣類乾燥機の他の例の動作を示すタイムチャート
【図６】本発明の実施の形態２における洗濯機能を備えた衣類乾燥機の要部断面図
【図７】同衣類乾燥機の乾燥フィルタの斜視図
【図８】同衣類乾燥機の動作を示すタイムチャート
【図９】従来の洗濯乾燥機の構成図
【発明を実施するための形態】
【００１４】
第１の発明は、衣類等の乾燥対象を収容する回転自在なドラムと、前記ドラムから排出された乾燥用空気を再び前記ドラムへ循環させる循環風路と、前記循環風路に乾燥用空気を送風する送風手段と、前記循環風路を通過するリントを捕集する乾燥フィルタと、前記乾燥フィルタに捕集されたリントを洗い流すための水を吐出するノズルと、前記ノズルへ水を供給する給水手段と、前記ノズルから吐出された水を排出する排水路と、乾燥運転を制御する制御手段とを備え、前記制御手段は、前記給水手段を制御し前記ノズルから水を間欠的に吐出させるようにしたことにより、吐出した水によって剥がれたリントが集まって塊となった場合でも、水を間欠的に吐出することで、塊となったリントに水を繰り返し衝突させることができ、また、フィルタ面にリントが絡み付いた場合でも、絡み付いたリントに水を繰り返し衝突させて付着形態を変化させることができ、乾燥フィルタに付着したリントを確実に除去することができ、乾燥フィルタに付着したリントを少量の水で効果的に除去することができる。
【００１５】
第２の発明は、特に、第１の発明の制御手段は、乾燥フィルタからリントを洗い流すときに、ノズルから水を間欠的に吐出させる先の期間の吐出間隔を、後の期間の吐出間隔より短く設定したことにより、吐出した水により剥がれて集まり塊状態となったリントに対して、水を短い間隔で繰り返し衝突させることができ、リントの除去効果を高めることができる。
【００１６】
第３の発明は、特に、第１または第２の発明の制御手段は、乾燥フィルタからリントを洗い流すときに、ノズルから水を間欠的に吐出させる後の期間の１回当たりの吐出時間を、先の期間の１回当たりの吐出時間より長く設定したことにより、乾燥フィルタから除去したリントをノズルから吐出した水で確実に排出することができるとともに、乾燥フィルタからのリント除去と、除去したリントを確実に排出することができる。
【００１７】
第４の発明は、特に、第１〜第３のいずれか１つの発明において、水を吐出する複数のノズルと、前記ノズルへの給水を切り替える切替手段を設け、制御手段は、前記切替手段を制御し前記複数のノズルからタイミングをずらせて水を間欠的に吐出させるようにしたことにより、各々のノズルから吐出する流量が減少することなく複数のノズルから水を吐出して、リントを効果的に除去することができる。
【００１８】
以下、本発明の実施の形態について、図面を参照しながら説明する。なお、この実施の形態によって本発明が限定されるものではない。
【００１９】
（実施の形態１）
図１は、本発明の第１の実施の形態の洗濯機能を備えた衣類乾燥機の要部断面図、図２は、同衣類乾燥機の乾燥フィルタの斜視図、図３は、同衣類乾燥機の動作を示すタイムチャート、図４は、同衣類乾燥機のリント除去中の水の流れを示す概略図である。
【００２０】
図１〜図４において、筐体１の内部には、ダンパ２によって外槽３が弾性支持され、外槽３内に有底円筒形に形成されたドラム４が回転可能に配設されている。ドラム４の回転軸は前上がりに傾斜させている。外槽３の前面側に開口部５が設けてあり、この開口部５に対向してドラム４の前面側に衣類投入口６が設けられている。筐体１の前面側に設けた扉７を開閉することにより、衣類投入口６を通してドラム４内に洗濯物８を出し入れすることができる。
【００２１】
ドラム４の周側面に外槽３内に通じる多数の透孔９が形成され、内周面の複数位置に撹拌突起１０が設けられている。ドラム４は外槽３の背面側に取り付けられたモータ１１によって正転および逆転方向に回転駆動される。モータ１１はブラシレス直流モータで構成され、インバータ制御によって回転速度が自在に変化させることができるようになっている。
【００２２】
外槽３には、洗剤ケース１２を介して第１の給水経路１３が接続され、第１の給水弁（給水手段）１４を開くことにより、ドラム４内に注水が行われる。また、外槽３の下部には排水経路１５が接続され、排水弁１６を開くことで、外槽３内の水が異物フィルタ１７を通過して筐体１外へ排出される。
【００２３】
外槽３の後面に設けた給気口１８と、外槽３の上面前部に設けた排気口１９に循環風路２０を連通接続している。循環風路２０には、除湿手段２１、加熱手段２２および送風手段２３が設けられている。送風手段２３により循環風路２０に乾燥用空気を送風すると、給気口１８からドラム４内に送風され、ドラム４内で撹拌されている衣類と接触して湿った乾燥用空気は、透孔９から外槽３内に抜けて排気口１９から循環風路２０に流入する。
【００２４】
循環風路２０に入った湿った乾燥用空気は、水冷式の熱交換器で構成された除湿手段２１で冷却除湿される。除湿手段２１によって冷却除湿された低温の乾いた乾燥用空気は、除湿手段２１の下流側に設けたヒータで構成された加熱手段２２により加熱されて乾いた温風となり、給気口１８からドラム４内に送風されて矢印のように循環する。
【００２５】
循環風路２０には、除湿手段２１の上流側に乾燥フィルタ２４が設けてあり、乾燥用空気とともに循環風路２０に流入する糸屑等のリントを捕集するようにしている。乾燥フィルタ２４の上方には、乾燥フィルタ２４に捕集されたリントを洗い流すための水を吐出するノズル２５と、ノズル２５に給水する第２の給水経路２７および第２の給水弁（給水手段）２８を設けている。
【００２６】
乾燥フィルタ２４は、循環風路２０を流れる乾燥用空気が前方から後方へ通過するように、循環風路２０内に略垂直に立設し、乾燥フィルタ２４の風上側のフィルタ面の上方にノズル２５を下向きに設けている。ノズル２５から水を吐出させる孔２６は、フィルタ面に沿って細長くスリット状に形成し、吐出された水がフィルタ面に沿って流れ落ちるようにしている。なお、孔２６は、小さな孔をフィルタ面に沿って多数設けてもよい。
【００２７】
ノズル２５から吐出した水は、排水管（排水路）２９を通して排水経路１５から機外へと排出される。排水管２９は、上端を乾燥フィルタ２４の下方で循環風路２０に接続し、下端を異物フィルタ１７に接続して排水経路１５と連通接続している。
【００２８】
筐体１内の前方下部に設けた制御手段３０は、モータ１１、第１の給水弁１４、排水弁１６、除湿手段２１、加熱手段２２、送風手段２３等を制御し、洗濯および乾燥運転を制御する。
【００２９】
以上のように構成された衣類乾燥機について、以下その動作、作用を説明する。まず、扉７を開いてドラム４内に衣類等の洗濯物８を投入して運転を開始すると、ドラム４を駆動させて投入された洗濯物８の量を検知した後、第１の給水弁（給水手段）１４が開き、検知した洗濯物８の量に応じて設定された所定量の洗濯水が、洗剤ケース１２を介して第１の給水経路１３からドラム４内に注水される。
【００３０】
モータ１１によりドラム４が回転駆動されて洗濯工程が開始されると、ドラム４の回転により、ドラム４内に収容された洗濯物８は、ドラム４の内周壁に設けられた撹拌突起１０によって回転方向に持ち上げられて、ドラム４内の上方位置から落下し、叩き洗いの作用によって洗濯される。
【００３１】
所定の洗濯時間の後、汚れた洗濯液は排水経路１５から機外へ排出され、ドラム４を高速回転させる脱水動作により洗濯物８に含まれた洗濯液を脱水し、その後、外槽３内に第１の給水経路１３から注水してすすぎ工程が実行される。このすすぎ工程においても、ドラム４内に収容された洗濯物８は、ドラム４の回転により撹拌突起１０によって回転方向に持ち上げられ、ドラム４内の上方位置から落下する撹拌動作が繰り返されてすすぎ工程が実行される。すすぎ工程に続いて最終脱水工程が実行されて洗濯が終了する。
【００３２】
洗濯機能を備えた衣類乾燥機、所謂、洗濯乾燥機は、洗濯した衣類等の洗濯物を続けて乾燥させることができる。乾燥工程は、モータ１１によりドラム４を回転駆動し、洗濯物を撹拌しながらドラム４内に乾燥用空気を送風する。
【００３３】
送風手段２３を駆動して循環風路２０に乾燥用空気を送風すると、給気口１８からドラム４内に送風され、ドラム４内で撹拌されている衣類と接触して湿った乾燥用空気は、透孔９から外槽３内に抜けて排気口１９から循環風路２０に流入する。
【００３４】
循環風路２０に入った湿った乾燥用空気は、除湿手段２１で冷却除湿された後、加熱手段２２により加熱されて乾いた温風となり、給気口１８からドラム４内に送風されて循環し、衣類の乾燥を進行させる。
【００３５】
洗濯物８の乾燥が進むにつれて糸屑等のリントの発生量が多くなり、循環風路２０を流れる乾燥用空気が乾燥フィルタ２４を通過する際に、乾燥用空気に含まれた糸屑等のリントは、乾燥フィルタ２４に捕集されて堆積する。
【００３６】
乾燥フィルタ２４に捕集されたリントは、第２の給水弁２８を開いて第２の給水経路２７から給水された洗浄水が、乾燥フィルタ２４の風上側のフィルタ面の上方に設けたノズル２５から下向きに水が間欠的に吐出されることにより、下方へ洗い流される。
【００３７】
リントを洗い流す洗浄時間Ｔは、例えば１分程度である。そして、ノズル２５から水を吐出させる時間ｔ１は、例えば０．５秒程度であり、水の吐出間隔、すなわち、停止時間ｔ２は、例えば１秒程度である。
【００３８】
図４（ａ）に示すように、水を連続的に吐出すると、吐出した水により剥がれたリントが集まって塊となり、その塊を避けるように水の流れができる場合がある。このような状態になると、水を連続的に流し続けても、矢印のように塊状になったリントを避けて流れ続け、リントを除去することができない。
【００３９】
これに対して、水を間欠的に吐出すると、図４（ｂ）に示すように、吐出した水は矢印のように繰り返し塊状になったリントに衝突させることができ、フィルタ面から剥がすことができる。
【００４０】
また、フィルタ面にリントが絡み付いた場合でも、網目に絡み付いたリントに水を繰り返し衝突させて付着形態を変化させることができ、乾燥フィルタ２４に付着したリントを確実に除去することができ、乾燥フィルタ２４に付着したリントを少量の水で効果的に除去することができる。
【００４１】
また、ノズル２５から水を間欠的に吐出させるため、排水許容量を超過する水が一度に排水管２９へ流入することがなく、排水経路１５を通して円滑に機外へ排出することができる。
【００４２】
図５は、本実施の形態の他の例の動作を示したタイムチャートである。図５（ａ）は、乾燥フィルタ２４からリントを洗い流す洗浄時間Ｔのうち、ノズル２５から水を間欠的に吐出させる先の期間Ｔ１の吐出間隔、すなわち、停止時間ｔ２を、後の期間Ｔ２の吐出間隔、すなわち、停止時間ｔ４より短く設定したものである。
【００４３】
また、ノズル２５から水を間欠的に吐出させる後の期間Ｔ２の１回当たりの吐出時間ｔ３を、先の期間Ｔ１の１回当たりの吐出時間ｔ１より長く設定したものである。
【００４４】
リントを洗い流す洗浄時間Ｔ（例えば１分）の内、先の期間Ｔ１は、例えば４０秒程度であり、後の期間Ｔ２は、例えば２０秒程度である。そして、先の期間Ｔ１において、ノズル２５から水を吐出させる時間ｔ１は、例えば０．５秒程度であり、水の吐出間隔、すなわち、停止時間ｔ２は、例えば１秒程度である。これに対し、後の期間Ｔ２において、ノズル２５から水を吐出させる時間ｔ３は、例えば３秒程度であり、水の吐出間隔、すなわち、停止時間ｔ４は、例えば６秒程度である。
【００４５】
乾燥フィルタ２４からリントを洗い流す工程の先の期間Ｔ１においては、乾燥フィルタ２４に付着したリントを剥がし、乾燥フィルタ２４から下方へ落とすことが重要であり、吐出間隔ｔ２を後の期間Ｔ２の吐出間隔ｔ４より短く設定することにより、吐出頻度が多くすることができ、塊状態となったリントに対して短い間隔で繰り返し衝突させることができる。
【００４６】
一方、後の期間Ｔ２においては、剥がれて乾燥フィルタ２４から下方に落下したリントを排水管２９まで流し、さらにその先の異物フィルタ１７まで移送することが重要であり、水量が必要であるため、後の期間Ｔ２において、ノズル２５から水を吐出させる時間を長くすることにより、除去したリントを確実に排出することができる。
【００４７】
したがって、吐出した水により剥がれて集まり塊状態となったリントに対して、水を短い間隔で繰り返し衝突させることができ、リントの除去効果を高めることができる。また、乾燥フィルタ２４から除去したリントをノズル２５から吐出した水で確実に排出することができるとともに、乾燥フィルタ２４からのリント除去と、除去したリントを確実に排出することができる。
【００４８】
図５（ｂ）は、後の期間Ｔ２において、ノズル２５から水を連続的に吐出させるようにしたものである。この構成によれば、乾燥フィルタ２４から除去したリントを排出する水量を確保することができ、ノズル２５から吐出した水で確実に排出することができる。
【００４９】
なお、乾燥フィルタ２４からリントを除去する構成として、水道配管に接続した第２の給水弁２８を開閉し、第２の給水経路２７を介してノズル２５から水道水を吐出させる構成としたが、外槽３内の水をポンプ等でノズル２５へ供給するようにしてもよい。
【００５０】
また、乾燥フィルタ２４からリントを洗い流す工程は、乾燥運転の終了後に行うと、使用者がリントを除去した後に状態を視認することができる。また、乾燥運転前に行うと、リントが除去された状態で乾燥運転を開始することができる。また、運転中に送風を停止した状態で行うことも可能である。
【００５１】
また、リントを水で洗い流した後は、送風手段２３を所定時間作動し、乾燥フィルタ２４を乾燥させることによって、カビ等の雑菌の発生を防止することができる。
【００５２】
また、ノズル２５は、乾燥フィルタ２４の上部に一体的に組み込む構成としているが、乾燥フィルタ２４の上部に対向する位置で循環風路２０等に設け、フィルタ面の風上側に臨ませるようにしてもよい。
【００５３】
また、乾燥用空気を除湿する除湿手段２１および加熱する加熱手段２２は、ヒートポンプ装置で構成することができる。一般的なヒートポンプ装置は、冷媒を圧縮する圧縮機と、圧縮後の高温高圧の冷媒の熱を放熱する凝縮器と、高圧の冷媒の圧力を減圧するためのキャピラリーチューブからなる絞り手段と、減圧されて低圧となった冷媒が周囲から熱を奪う蒸発器を冷媒が循環するように管路で連結して構成される。この場合、蒸発器が除湿手段２１であり、凝縮器が加熱手段２２である。
【００５４】
以上のように、本実施の形態においては、衣類等の乾燥対象を収容する回転自在なドラム４と、ドラム４から排出された乾燥用空気を再びドラム４へ循環させる循環風路２０と、循環風路２０に乾燥用空気を送風する送風手段２３と、循環風路２０を通過するリントを捕集する乾燥フィルタ２４と、乾燥フィルタ２４に捕集されたリントを洗い流すための水を吐出するノズル２５と、ノズル２５へ水を供給する給水手段２８と、ノズル２５から吐出された水を排出する排水路２９と、乾燥運転を制御する制御手段３０とを備え、制御手段３０は、給水手段２８を制御しノズル２５から水を間欠的に吐出させるようにしたものであり、吐出した水によって剥がれたリントが集まって塊となった場合でも、水を間欠的に吐出することで、塊となったリントに水を繰り返し衝突させることができ、また、フィルタ面にリントが絡み付いた場合でも、絡み付いたリントに水を繰り返し衝突させて付着形態を変化させることができ、乾燥フィルタ２４に付着したリントを確実に除去することができ、乾燥フィルタ２４に付着したリントを少量の水で効果的に除去することができるものである。
【００５５】
（実施の形態２）
図６は、本発明の第２の実施の形態における洗濯機能を備えた衣類乾燥機の要部断面図、図７は、同衣類乾燥機の乾燥フィルタの斜視図、図８は、同衣類乾燥機の動作を示すタイムチャートである。本実施の形態の特徴は、乾燥フィルタ２４に水を吐出するノズルを複数設け、タイミングをずらせて水を間欠的に吐出させるようにしたものである。他の構成は実施の形態１と同じであり、同一の構成に同一の符号を付して、詳細な説明は実施の形態１のものを援用する。
【００５６】
図６〜図８において、乾燥フィルタ２４の風上側のフィルタ面の上部に、第１のノズル２５ａと第２のノズル２５ｂを幅方向に並べて複数設けている。第１のノズル２５ａと第２のノズル２５ｂから水を吐出させる孔２６は、フィルタ面に沿って細長くスリット状に形成し、吐出された水がフィルタ面に沿って流れ落ちるように下向きに設けている。なお、孔２６は、小さな孔をフィルタ面に沿って多数設けてもよい。
【００５７】
第１のノズル２５ａと第２のノズル２５ｂは、切替手段である切替弁３１を介して、第２の給水弁２８に接続された第２の給水経路２７と接続されており、切替弁３１により分岐部２７ａを通して第１のノズル２５ａと第２のノズル２５ｂへ選択的に水の供給を切り替え、水を吐出するタイミングをずらせて間欠的に吐出させるようにしている。
【００５８】
リントを洗い流す洗浄時間Ｔは、例えば１分程度である。そして、第１のノズル２５ａと第２のノズル２５ｂから水を交互に吐出させる時間ｔ１は、例えば０．５秒程度であり、水の吐出間隔、すなわち、停止時間ｔ２は、例えば２秒程度である。
【００５９】
上記構成によれば、第１のノズル２５ａと第２のノズル２５ｂの各々から吐出する流量が減少することなく、複数のノズルから水を吐出してリントを除去することができ、フィルタ面に分散して付着したリントを少ない水で効果的に除去することができる。なお、第１のノズル２５ａと第２のノズル２５ｂは、３つ以上設けてもよい。
【産業上の利用可能性】
【００６０】
以上のように、本発明にかかる衣類乾燥機は、乾燥フィルタに付着したリントを少量の水で効果的に除去することができるので、衣類乾燥機として有用である。
【符号の説明】
【００６１】
４    ドラム
２０  循環風路
２３  送風手段
２４  乾燥フィルタ
２５  ノズル
２８  第２の給水弁（給水手段）
２９  排水管（排水路）
３０  制御手段
【図１】
2013128527.tif 000003
【図２】
2013128527.tif 000004
【図３】
2013128527.tif 000005
【図４】
2013128527.tif 000006
【図５】
2013128527.tif 000007
【図６】
2013128527.tif 000008
【図７】
2013128527.tif 000009
【図８】
2013128527.tif 000010
【図９】
2013128527.tif 000011